(57)【要約】【課題】  防犯性が好適であり、かつ施錠及び操作の操作が簡易な回収ボックスを提供する。【解決手段】  回収ボックスは、所定の回収物を収容するための本体箱１１と、該回収物を出し入れするための投入口１６及び取出口１７と、該取出口１７を閉塞するための蓋体１８とを備えている。蓋体１８には、該蓋体１８をロックする２つの施錠部１９と、これら施錠部１９を操作する操作部２０とが設けられている。２つの施錠部１９は、蓋体１８の上端縁部及び下端縁部に設けられており、該操作部２０は、該蓋体１８の上部に１箇所のみ設けられ、かつ各施錠部１９を連動させて操作する。【選択図】      図２
2007145404.tif 000002
【特許請求の範囲】
【請求項１】
所定の回収物を収容するための本体箱と、該回収物を出し入れするために該本体箱に設けられた投入口及び取出口と、該取出口を閉塞するための蓋体と、該蓋体又は該本体箱に設けられたロック機構とを備えた回収ボックスであって、
該ロック機構は、該本体箱に対して該蓋体をロックする施錠部と、該施錠部を操作する操作部とを有するとともに、
該施錠部は、該蓋体又は該本体箱の一縁部と、該一縁部に対向する他縁部との少なくとも２箇所に設けられており、該操作部は、該蓋体又は該本体箱の１箇所にのみ設けられ、かつ各施錠部を連動させて操作するものであることを特徴とする回収ボックス。
【請求項２】
該本体箱には、所定の盗難防止具を取り付けるための取付金具が固定されている請求項１に記載の回収ボックス。
【請求項３】
該本体箱は、床面上に載置されて使用されるものであり、該投入口は、該本体箱の上面に設けられており、該取出口は、該本体箱の前面に設けられており、該施錠部は、該蓋体又は該本体箱の一縁部である上部と他縁部である下部とに設けられており、該操作部は、該蓋体又は該本体箱の上部に設けられている請求項１又は請求項２に記載の回収ボックス。
【発明の詳細な説明】
【技術分野】
【０００１】
本発明は、機密書類、廃棄書類、使用済みメモといった紙類等を回収するための回収ボックスに関するものである。
【背景技術】
【０００２】
一般に、上記のような回収ボックスは、箱状に形成されるとともに、紙類を投入するための投入口、投入された紙類を取り出すための取出口、取出口をふさぐ蓋が設けられている。また、機密書類への配慮などから、回収ボックスは、その内部を見えにくくするため、投入口がスリット状とされ、蓋が施錠できるようになっている。例えば、特許文献１に記載の古紙回収ケース及び特許文献２に記載のブローパネル調コンテナは、１つの錠が設けられており、この錠で蓋である前扉の上部中央を施錠するようになっている。また、特許文献３に記載の機密書類収容袋用ボックスにおいては、２つの錠が設けられており、各錠で蓋である前面扉の上部及び下部を側板及び底板に施錠するようになっている。
【特許文献１】実開昭６４−４３００１号公報
【特許文献２】特開２００１−３３５１０３号公報
【特許文献３】特開平１１−３２１８６９号公報
【発明の開示】
【発明が解決しようとする課題】
【０００３】
ところが、上記従来の回収ボックスのように、錠を１つとした場合、該錠から離間した箇所で蓋の周縁に隙間が形成されやすく、該蓋を無理にこじ開けられてしまい、防犯性に劣るという問題がある。一方、錠を複数とした場合、隙間は形成されにくくなり、防犯性は好適であるが、しかし施錠及び解錠の操作を各錠ごとに行わねばならず、煩雑となるという問題がある。
本発明は、このような従来技術に存在する問題点に着目してなされたものである。その目的とするところは、防犯性が好適であり、かつ施錠及び解錠の操作が簡易な回収ボックスを提供することにある。
【課題を解決するための手段】
【０００４】
上記の目的を達成するために、請求項１に記載の回収ボックスの発明は、所定の回収物を収容するための本体箱と、該回収物を出し入れするために該本体箱に設けられた投入口及び取出口と、該取出口を閉塞するための蓋体と、該蓋体又は該本体箱に設けられたロック機構とを備えた回収ボックスであって、該ロック機構は、該本体箱に対して該蓋体をロックする施錠部と、該施錠部を操作する操作部とを有するとともに、該施錠部は、該蓋体又は該本体箱の一縁部と、該一縁部に対向する他縁部との少なくとも２箇所に設けられており、該操作部は、該蓋体又は該本体箱の１箇所にのみ設けられ、かつ各施錠部を連動させて操作するものであることを要旨とする。
上記構成によれば、施錠部が少なくとも２箇所に設けられているため、蓋体の周縁に隙間が形成されにくくなり、防犯性を好適なものとすることができる。また、操作部は１箇所にのみ設けられており、該１箇所の操作部で各施錠部を連動させて操作することができるため、施錠及び解錠の操作を簡易なものとすることができる。
【０００５】
請求項２に記載の発明は、請求項１に記載の回収ボックスの発明において、該本体箱には、所定の盗難防止具を取り付けるための取付金具が固定されていることを要旨とする。
上記構成によれば、取付金具を設け、該取付金具に所定の盗難防止具を取り付けることにより、回収ボックスそのものを盗難などされることを抑制することができる。
【０００６】
請求項３に記載の発明は、請求項１又は請求項２に記載の回収ボックスの発明において、該本体箱は、床面上に載置されて使用されるものであり、該投入口は、該本体箱の上面に設けられており、該取出口は、該本体箱の前面に設けられており、該施錠部は、該蓋体又は該本体箱の一縁部である上部と他縁部である下部とに設けられており、該操作部は、該蓋体又は該本体箱の上部に設けられていることを要旨とする。
上記構成によれば、例えば回収ボックスを机の足下に置くなどして使用する場合、椅子に座ったまま投入口へ紙類を投入したり、あるいは大きく屈むことなく施錠及び解錠の操作ができる等、回収ボックスの使い勝手を向上させることができる。
【発明の効果】
【０００７】
本発明によれば、防犯性が好適であり、かつ施錠及び解錠の操作が簡易なものとすることができる。
【発明を実施するための最良の形態】
【０００８】
以下、本発明を具体化した一実施形態について説明する。
図１及び図２に示すように、回収ボックスは、本体箱１１を備えている。この本体箱１１は、前面が開放された箱状に形成されており、底板１２、左右一対の側板１３、後板１４及び天板１５を有している。該本体箱１１において、天板１５には、本体箱１１の内部に所定の回収物を投入するための投入口１６がスリット状をなすように形成されている。そして、該本体箱１１の前面には、本体箱１１の内部の回収物を回収するための取出口１７が設けられている。なお、所定の回収物としては、機密書類、廃棄書類、使用済みメモ等といった紙類、磁気ディスク、コンパクトディスク（ＣＤ）等といった情報記録媒体などが挙げられる。また、回収物は、底板１２上に積み重なるように収容する、あるいは、本体箱１１内にコンテナ、袋などを収納したうえで、該コンテナ、袋などの内部に収容する。
【０００９】
該本体箱１１の前部には、蓋体１８が取り付けられている。この蓋体１８は、本体箱１１に対し、一側縁（図２中で左側縁）の取付部１８ａで回動可能に取り付けられている。従って、該蓋体１８は、本体箱１１に対して回動させることにより、該取出口１７を閉塞及び開放することができるようになっている。
【００１０】
該蓋体１８には、該取出口１７を閉塞した状態に該蓋体１８を保持するためのロック機構として、２つの施錠部１９と、１つの操作部２０が設けられている。該施錠部１９は、該本体箱１１に対して該蓋体１８をロックするためのものである。これら施錠部１９の一つは、該蓋体１８の内面（取出口１７を閉塞した状態で本体箱１１の内部側となる面）であって、平面状をなす部位のうち取付部１８ａから最も離間した位置となる他側縁部の上端縁部に設けられている。もう一つの施錠部１９は、上端縁部に設けられた施錠部１９に対向する位置となるように、該蓋体１８の内面であって他側縁部の下端縁部に設けられている。また、操作部２０は、該蓋体１８の外面で鍵穴が開口されるように、蓋体１８の上端縁部に設けられている。
【００１１】
上記本体箱１１の底板１２、左右一対の側板１３、後板１４及び天板１５と、蓋体１８は、ブロー成形によって中空状に形成されている。ブロー成形は、成形形状の自由度が高いという利点を有しており、本実施形態の本体箱１１及び蓋体１８は、周縁部に丸みを持たせる成形形状としており、意匠性の向上が図られている。また、ブロー成形によって中空状に形成したことを利点とし、施錠部１９及び操作部２０は、可能な限り蓋体１８に内装されている。
【００１２】
また、本体箱１１において、底板１２には、所定の盗難防止具を取り付けるための取付金具２１が装着されている（図１参照）。特に図示はしないが、該取付金具２１は、底板１２に埋め込まれるようにして固定されており、容易に脱着されないように構成されている。また、所定の盗難防止具としては、チェーン、ワイヤー、アラームなどが挙げられ、例えばチェーン、ワイヤーであれば取付金具２１を机の脚に縛り付けたり、あるいはアラームであれば本体箱１１を持ち上げた際に鳴るようにしたりすることで、回収ボックスの防犯性を高めることができる。
【００１３】
ここで、上記施錠部１９の構成を説明する。図３は、蓋体１８をロックした状態の施錠部１９を示しており、図４は、蓋体１８のロックを解除した状態の施錠部１９を示している。なお、図３及び図４では、施錠部１９を蓋体１８の内面側から見た状態を示している。
【００１４】
施錠部１９は、蓋体１８の内面に固定された座板２３と、該座板２３に揺動自在に取り付けられた接続バー２４と、該接続バー２４の一端に接続されたカム２５と、該接続バー２４の他端に接続されたシャフト２６とを備えている。該接続バー２４は、中央に設けられた回動ピン２４ａを介して座板２３に接続されている。また、接続バー２４の他端において、該座板２３と該接続バー２４との間には、付勢部材であるコイルスプリング２７が介設されている。
【００１５】
該カム２５は、扇状をなすガイド部２５ａと、該ガイド部２５ａの側縁から延設されたロック爪２５ｂとからなり、該ロック爪２５ｂを本体箱１１の天板１５に係止させることにより、蓋体１８の上縁部を本体箱１１にロックしている（図３参照）。該シャフト２６は、基端となる上端が接続バー２４と接続されるとともに、蓋体１８の内部を通り、先端となる下端が下端縁部の施錠部１９まで達している。そして、シャフト２６は、その下端を本体箱１１の底板１２に係止させることにより、蓋体１８の下縁部を本体箱１１にロックしている（図３参照）。
【００１６】
該カム２５は、ガイド部２５ａにおいて、ねじ、ピンなどの接続部材２５ｃによって操作部２０のキーシリンダーに接続されており、該キーシリンダーの動作に伴って接続部材２５ｂを中心に回動する。また、カム２５のガイド部２５ａには、弧状をなすガイドスリット２５ｄが形成されている。このガイドスリット２５ｄは、一端から接続部材２５ｃまでの長さｒ１が、他端から接続部材２５ｃまでの長さｒ２に比べて長く（ｒ１＞ｒ２）なるように形成されている。すなわち、該ガイドスリット２５ｄは、一端から他端へ向かうに従い、カム２５の回動中心となる接続部材２５ｃまでの長さが短くなるように形成されている。そして、接続バー２４は、その一端に突設されたガイドピン２４ｂをカム２５のガイドスリット２５ｄに挿通することにより、該カム２５と接続されている。
【００１７】
一方、シャフト２６は、その基端が接続バー２４の他端に設けられた長孔（図示略）に挿通されるとともに、該基端に抜け止め用のキャップ２６ａが取り付けられることにより、接続バー２４と接続されている。また、接続バー２４の他端は、コイルスプリング２７によって常に上方へ付勢されており、接続バー２４の他端に接続されたシャフト２６もまた、コイルスプリング２７によって上方へ付勢されることとなる。
【００１８】
さて、蓋体１８のロックを解除する場合には、操作部２０に鍵を差し込み、キーシリンダーを回転させると、まずカム２５が接続部材２５ｃを中心に、ロック爪２５ｂを蓋体１８内に収納させる方向（図３中で時計方向）に回動する。また、接続バー２４は、ガイドピン２４ｂがガイドスリット２５ｄに案内されることにより、カム２５に連動して回動ピン２４ａを中心に揺動する。このとき、ガイドスリット２５ｄは、一端から接続部材２５ｃまでの長さｒ１が、他端から接続部材２５ｃまでの長さｒ２に比べて長い（ｒ１＞ｒ２）ため、ガイドピン２４ｂを押し下げるように、接続バー２４の揺動を案内する。その結果、図４に示したように、接続バー２４の一端が押し下げられる一方で、接続バー２４の他端が押し上げられ、該接続バー２４の他端は、カム２５から伝達される回動力に加え、コイルスプリング２７による付勢力も加わることにより、シャフト２６を上方へ押し上げる。そして、カム２５及びシャフト２６による蓋体１８のロックが略同時に解除される。
【００１９】
一方、蓋体１８をロックする場合には、蓋体１８で取出口１７を閉塞した後、操作部２０に鍵を差し込み、キーシリンダーを回転させると、まずカム２５が接続部材２５ｃを中心として、ロック爪２５ｂを蓋体１８内から突出させる方向（図４中で反時計方向）に回動する。このとき、ガイドスリット２５ｄは、他端から接続部材２５ｃまでの長さｒ２が、一端から接続部材２５ｃまでの長さｒ１に比べて短い（ｒ２＜ｒ１）ため、ガイドピン２４ｂを押し上げるように、接続バー２４の揺動を案内する。その結果、図３に示したように、接続バー２４の一端が押し上げられる一方、接続バー２４の他端がコイルスプリング２７の付勢力に抗して押し下げられることにより、シャフト２６を下方へ押し下げる。そして、カム２５及びシャフト２６による蓋体１８のロックが略同時に行われる。
【００２０】
上記回収ボックスにおいては、蓋体１８の取付部１８ａから略最も離れた位置である蓋体１８の他側縁部に施錠部１９が設けられており、さらに施錠部１９が蓋体１８の上端縁部及び下端縁部に２つ設けられているため、蓋体１８をロックした状態で該蓋体１８の周縁部に隙間が形成されにくい。従って、隙間から蓋体を無理にこじ開けることは難しく、防犯性が高い。また、これら２つの施錠部１９は、１つの操作部２０によって連動して操作可能であり、施錠及び解錠に係る操作は簡易である。また、蓋体１８のロック及びその解除において、シャフト２６を上下に移動させるとき、該シャフト２６は、蓋体１８の内部に挿通されているため、横方向への位置ずれが抑制される。このため、シャフト２６の上下動を円滑なものとすることができ、該上下動に伴う騒音の発生を抑えることができる。
【００２１】
なお、本実施形態においては、取出口１７を本体箱１１の前面に設けたが、これに限らず、本体箱１１の側面、上面に設けてもよい。また、投入口１６は、１つのみ設けることに限らず、複数設けてもよい。また、投入口１６を複数設ける場合、天板１５にのみ設けることに限らず、蓋体１８、側板１３、後板１４に設けてもよい。また、施錠部１９は、３つ以上設けてもよい。また、本実施形態では蓋体１８にロック機構を設けたが、例えば一方の側板１３にロック機構を内装するなど、本体箱１１にロック機構を設けてもよい。
【図面の簡単な説明】
【００２２】
【図１】本実施形態の回収ボックスを示す斜視図。
【図２】本体箱の取出口を開放した状態を示す斜視図。
【図３】蓋体をロックした状態を示す正面図。
【図４】蓋体のロックを解除した状態を示す正面図。
【符号の説明】
【００２３】
１１…本体箱、１６…投入口、１７…取出口、１８…蓋体、１９…施錠部、２０…操作部。
【図１】
2007145404.tif 000003
【図２】
2007145404.tif 000004
【図３】
2007145404.tif 000005
【図４】
2007145404.tif 000006